(57)【要約】【課題】片手で開閉操作可能とし、使い勝手をよくする。【解決手段】容器１０の上部にカバー部材２０、開閉部材３０を装着し、開閉部材３０は、操作部３３を介して、ノズル３２をカバー部材２０内に収納する閉状態と、ノズル３２を起立させて上向きに突出させる開状態とに片手で可逆的に操作可能である。【選択図】図１
2010001054.tif 000002
【特許請求の範囲】
【請求項１】
容器の上部に装着するカバー部材、開閉部材を備えてなり、前記カバー部材は、容器の口部に連通する注出孔と、該注出孔の上方の開口部とを有し、前記開閉部材は、前記注出孔の上端面に接しながら起倒するノズルと、該ノズルを形成するノズル部の一端に屈曲自在に連結する操作部とを一体成形し、該操作部により前記開口部を閉じ、前記ノズルを前記カバー部材内に収納する閉状態と、前記操作部を前記開口部から退避させることにより、前記ノズルを起立させて前記注出孔に連通させ、前記開口部に上向きに突出させる開状態とに片手で可逆的に操作可能であることを特徴とする容器の開閉機構。
【請求項２】
前記開閉部材は、前記ノズルの基部に左右の係合ピンを突設し、前記カバー部材は、前記係合ピンを回転自在に嵌合させる受け部を前記注出孔の上端面の左右に上向きに形成することを特徴とする請求項１記載の容器の開閉機構。
【請求項３】
前記カバー部材には、前記開閉部材の閉状態において、前記ノズルの先端を閉じる当て板を形成することを特徴とする請求項１または請求項２記載の容器の開閉機構。
【請求項４】
前記カバー部材には、前記当て板と対向して前記ノズルの後端を押す押し板を形成することを特徴とする請求項３記載の容器の開閉機構。
【請求項５】
前記カバー部材には、左右のガイド部を形成し、前記操作部には、前記ガイド部に係合する左右の係合突部を形成することを特徴とする請求項１ないし請求項４のいずれか記載の容器の開閉機構。
【請求項６】
前記各ガイド部には、前記開閉部材の閉状態、開状態における前記係合突部の位置に合わせて係合リブを形成することを特徴とする請求項５記載の容器の開閉機構。
【発明の詳細な説明】
【技術分野】
【０００１】
この発明は、たとえば点眼薬容器などに好適に適用することができる容器の開閉機構に関する。
【背景技術】
【０００２】
点眼薬容器は、ねじ式のキャップを使用するのが普通であるが、片手で開閉操作可能なヒンジ式のキャップも提案されている（たとえば特許文献１、２）。
【０００３】
後者の点眼薬容器は、容器本体に装着するベース部材と、ベース部材にヒンジ連結するキャップとを備え、ベース部材には、薬液の滴下用のノズルが形成されている。キャップは、ヒンジを介してベース部材の片側に開閉自在に連結されており、ベース部材に対し、１８０°以上に開いてベース部材のノズルを完全に露出させ、そのまま軽くロックして薬液を点眼することができる。
【特許文献１】特開２００２−３６２６０３号公報
【特許文献２】特開２００５−２２６７３号公報
【発明の開示】
【発明が解決しようとする課題】
【０００４】
かかる従来技術によるときは、キャップは、ベース部材の片側にヒンジ連結され、点眼の際にベース部材の片側に１８０°以上に開くから、点眼時の全体形状が大きく、不格好であり、必ずしも使い勝手がよくないという問題があった。
【０００５】
そこで、この発明の目的は、かかる従来技術の問題に鑑み、カバー部材と、起倒式のノズルを有する開閉部材とを組み合わせることによって、片手で開閉操作できる上、開状態の全体形状が小さく、使い勝手が良好な容器の開閉機構を提供することにある。
【課題を解決するための手段】
【０００６】
かかる目的を達成するためのこの発明の構成は、容器の上部に装着するカバー部材、開閉部材を備えてなり、カバー部材は、容器の口部に連通する注出孔と、注出孔の上方の開口部とを有し、開閉部材は、注出孔の上端面に接しながら起倒するノズルと、ノズルを形成するノズル部の一端に屈曲自在に連結する操作部とを一体成形し、操作部により開口部を閉じ、ノズルをカバー部材内に収納する閉状態と、操作部を開口部から退避させることにより、ノズルを起立させて注出孔に連通させ、開口部に上向きに突出させる開状態とに片手で可逆的に操作可能であることをその要旨とする。
【０００７】
なお、開閉部材は、ノズルの基部に左右の係合ピンを突設し、カバー部材は、係合ピンを回転自在に嵌合させる受け部を注出孔の上端面の左右に上向きに形成することができる。
【０００８】
また、カバー部材には、開閉部材の閉状態において、ノズルの先端を閉じる当て板を形成してもよく、当て板と対向してノズルの後端を押す押し板を形成してもよい。
【０００９】
さらに、カバー部材には、左右のガイド部を形成し、操作部には、ガイド部に係合する左右の係合突部を形成することができ、各ガイド部には、開閉部材の閉状態、開状態における係合突部の位置に合わせて係合リブを形成することができる。
【発明の効果】
【００１０】
かかる発明の構成によるときは、カバー部材を介して容器の上部に装着する開閉部材は、閉状態、開状態に片手で可逆的に操作可能であり、閉状態において、操作部によりカバー部材の開口部を閉じるとともにノズルをカバー部材内に水平に倒して収納し、開状態において、操作部を開口部から退避させることにより、ノズルを起立させてカバー部材の注出孔に連通させ、ノズルを介して容器内の液を滴下させることができる。なお、開閉部材は、ノズル部、操作部を屈曲自在に連結することにより、開状態にしてノズルを起立させても、操作部をカバー部材の片側に斜め下向きに退避させることができ、カバー部材の片側に大きく突出することがなく、使用時の全体形状が過大になったり、不格好になったりするおそれがない。ただし、容器には、点眼薬や水虫薬のような薬液の他、各種の試薬や化粧品、調味料などの任意の液体を収納し、ノズルから適量を滴下させて使用することができる。
【００１１】
開閉部材は、ノズルの基部の左右の係合ピンをカバー部材の受け部に嵌合させることにより、ノズルを係合ピンのまわりに正逆に回転させて起倒させ、閉状態、開状態に操作することができる。
【００１２】
カバー部材に形成する当て板は、開閉部材を閉状態にして水平に倒すノズルの先端を弾発的に閉じ、ノズル内に残留している液を封止することができる。なお、当て板と対向する押し板は、当て板に向けてノズルの後端を押し、当て板による封止効果を向上させる。
【００１３】
カバー部材に形成するガイド部は、開閉部材の操作部に形成する係合突部とともに、開閉部材を閉状態、開状態にする際の操作部の移動径路を規定する。なお、操作部は、カバー部材の上端において片側に下降するように湾曲するガイド面に沿って移動させ、ガイド部は、ガイド面の下面に形成するものとする。また、各ガイド部に形成する係合リブは、閉状態、開状態において操作部側の係合突部が係合することにより、開閉操作中の指先に軽快なクリック感を感じさせることができる。
【発明を実施するための最良の形態】
【００１４】
以下、図面を以って発明の実施の形態を説明する。
【００１５】
容器の開閉機構は、容器１０の上部に装着するカバー部材２０と、カバー部材２０に組み付ける開閉部材３０とを備えてなる（図１、図２）。ただし、図２（Ａ）、（Ｂ）は、それぞれ開閉部材３０の開状態、閉状態における要部組立拡大縦断面図である。なお、図示の容器１０は、点眼薬容器を例示している。
【００１６】
容器１０は、断面長方形の有底角筒状の胴部１１の上部に上向きの口部１２を形成して構成されている。口部１２の外周には、リング状の係合リブ１２ａが形成され、口部１２は、基部１２ｂを介して胴部１１の上端の肩部１１ａに突設されている。また、胴部１１、肩部１１ａの間には、段部１１ｂを介して別の係合リブ１１ｃが全周に亘って形成されている。
【００１７】
カバー部材２０は、全体として、容器１０の胴部１１とほぼ同形の下端開放の角筒状に形成されている。カバー部材２０は、下端部内周の係合リブ２１、２１…を容器１０の係合リブ１１ｃに弾発的に係合させることにより、容器１０の上部に装着されている。なお、係合リブ２１、２１…は、カバー部材２０の各面の下端部内面に形成されている（図３（Ｂ）、（Ｄ））。ただし、図３（Ａ）〜（Ｄ）は、それぞれカバー部材２０の上面図、同図（Ａ）のＡ−Ａ線矢視断面図、下面図、同図（Ａ）のＢ−Ｂ線矢視断面図である。
【００１８】
カバー部材２０の内部には、中間の水平壁２２ａを介して、注出筒２２が上下方向に形成されている（図３）。注出筒２２は、水平壁２２ａの上下に貫通しており、水平壁２２ａの下側は、容器１０の口部１２に適合する下端開放の円筒状に形成され、水平壁２２ａの上側の外形は、上端を閉じる角柱状に形成されている。なお、注出筒２２の上端には、小径の注出孔２２ｂが形成され、上向きの受け部２３ａを形成する左右の受け板２３、２３が上向きに突設されている（図１、図３）。また、受け板２３、２３の間には、上向きの押し板２４ａが片側に寄せて突設され、カバー部材２０の上部には、押し板２４ａと対向するようにして、当て板２４ｂが垂設されている。一方、水平壁２２ａの下面には、注出筒２２と同心の円弧状の係合片２５、２５が対向して垂設されており、各係合片２５の下端には、斜め上向きの係合リブ２５ａが形成されている。
【００１９】
カバー部材２０の上端は、当て板２４ｂを垂設する側の反対側が下向きに滑らかに湾曲しながら下降する細幅のガイド面２６、２６に形成されており、ガイド面２６、２６の間には、注出筒２２、注出孔２２ｂの上方を開放するようにして開口部Ｗが形成されている。また、ガイド面２６、２６の下面は、左右のガイド部２６ａ、２６ａとなっており、各ガイド部２６ａには、ガイド部２６ａを横切る係合リブ２６ｂ、２６ｂが形成されている。カバー部材２０は、容器１０の上部に装着すると、注出筒２２の下部が容器１０の口部１２に圧入され（図２（Ａ））、係合片２５、２５の係合リブ２５ａ、２５ａが口部１２側の係合リブ１２ａに弾発的に係合して抜け止めされる。
【００２０】
開閉部材３０は、薄肉のヒンジ部３１を介し、ノズル３２を形成するノズル部３２ａの一端に操作部３３を屈曲自在に一体成形して構成されている（図１、図２（Ａ））。
【００２１】
ノズル３２は、ノズル部３２ａの上下に貫通して形成されている。ノズル３２のノズル孔３２ｂは、ノズル３２の軸心上において、下から上に開拡するテーパ状に形成されている。ノズル３２の外形は、ノズル部３２ａの上面側において、頂部にノズル孔３２ｂが開口するドーム状に形成され、ノズル部３２ａの下面側において、四角柱状の下端部に横向きの円柱部３２ｃを形成し、円柱部３２ｃの両端面に左右の係合ピン３２ｄ、３２ｄを突設している。
【００２２】
一方、操作部３３の先端部は、下側に屈曲させるとともに左右の側面の下縁部３３ｃ、３３ｃをカバー部材２０のガイド面２６、２６に適合する円弧状に湾曲させている。また、操作部３３の下面には、左右の脚３３ａ、３３ａを垂設し、各脚３３ａには、短い水平の係合突部３３ｂが外向きに形成されている。なお、各脚３３ａの下端部外面、各係合突部３３ｂの先端部下側は、それぞれ斜めに切り欠かれている。操作部３３の上面先端部、下向きの先端面には、それぞれ複数の凸状の滑り止め３３ｄ、３３ｄ…が体裁よく配列して形成されている。
【００２３】
開閉部材３０は、ノズル３２の基部の左右の係合ピン３２ｄ、３２ｄをカバー部材２０の受け部２３ａ、２３ａに回転自在に弾発的に嵌合させるとともに、操作部３３の下面の左右の係合突部３３ｂ、３３ｂをガイド面２６、２６の間の開口部Ｗ内に押し入れて左右のガイド部２６ａ、２６ａに対して下側から係合させることにより、カバー部材２０に組み付けられている。開閉部材３０は、親指以外の４本の指で容器１０、カバー部材２０を上向きに把持し、親指で操作部３３を上下に駆動することにより、操作部３３側の下縁部３３ｃ、３３ｃをカバー部材２０のガイド面２６、２６に沿って相対移動させ、図４（Ａ）の開状態と、同図（Ｂ）の閉状態とに片手で可逆的に操作可能である。なお、閉状態の開閉部材３０を開状態にするには、操作部３３の上面先端部に親指を掛けて図２（Ｂ）の矢印方向に力を加え、開状態の開閉部材３０を閉状態にするには、操作部３３の先端面に同図（Ａ）の矢印方向の上向きの力を加えればよい。
【００２４】
開閉部材３０の開状態において（図２（Ａ）、図４（Ａ））、操作部３３は、カバー部材２０の開口部Ｗから斜め下向きに退避し、ノズル３２は、カバー部材２０の注出孔２２ｂの上端面に接しながら起立してノズル孔３２ｂを注出孔２２ｂに連通させるとともに、開口部Ｗに上向きに突出する。また、開閉部材３０の閉状態において（図２（Ｂ）、図４（Ｂ））、操作部３３は、開口部Ｗを閉じるとともに、ヒンジ部３１を介してノズル３２を水平に倒してカバー部材２０内に収納し、当て板２４ｂを介してノズル孔３２ｂの先端を弾発的に閉じる。また、このとき、ノズル３２の後端は、押し板２４ａを介して当て板２４ｂ側に押されている。
【００２５】
すなわち、開閉部材３０を閉状態、開状態に操作することにより、ノズル３２は、注出孔２２ｂの上端面に接しながら正逆に回転して起倒する。なお、注出孔２２ｂの上端面、押し板２４ａのノズル３２側の表面には、それぞれノズル３２の基部の円柱部３２ｃの表面が摺接する摺接面２２ｂ1 、２４ａ1 が形成されている（図２（Ａ）、図３（Ｂ））。また、当て板２４ｂの押し板２４ａ側の表面には、水平に倒れたノズル３２のノズル孔３２ｂを閉じるために、低い膨出部２４ｂ1 が形成されている。
【００２６】
一方、操作部３３は、左右の係合突部３３ｂ、３３ｂがカバー部材２０のガイド部２６ａ、２６ａに係合することにより、閉状態、開状態の間の移動径路が規定されている（図２（Ａ）、（Ｂ））。さらに、操作部３３は、閉状態、開状態において、それぞれ各係合突部３３ｂが、対応するガイド部２６ａの係合リブ２６ｂ、２６ｂの一方を乗り越えることにより、軽快なクリック感を得ることができる。すなわち、各ガイド部２６ａの係合リブ２６ｂ、２６ｂは、開閉部材３０の閉状態、開状態における各係合突部３３ｂの位置に合わせて形成されている。
【００２７】
なお、図５（Ａ）、（Ｂ）は、それぞれ図２（Ａ）、（Ｂ）のＸ−Ｘ線、Ｙ−Ｙ線矢視相当断面図である。また、点眼薬容器としての容器１０は、両側面を手指で押圧して弾性変形させ、内部の薬液を排出するために、たとえばポリエチレンテレフタレートのような耐薬品性の適度の弾性ある材料により一体成形し、カバー部材２０、開閉部材３０は、それぞれ熱可塑性のポリエチレン、ポリプロピレンなどにより一体成形する。
【００２８】
かかる点眼薬容器は、開閉部材３０を閉状態にすることにより（図２（Ｂ））、ノズル３２がカバー部材２０内に収納され、注出孔２２ｂ、ノズル孔３２ｂが閉じられるので、容器１０内の薬液が漏れることがなく、ノズル３２が不用意に汚損したりするおそれがない。また、開閉部材３０を開状態にすると（同図（Ａ））、ノズル３２が起立して外部に上向きに突出し、ノズル孔３２ｂは、注出孔２２ｂ、注出筒２２、口部１２を介して容器１０内に連通するから、全体を逆さまに保持して容器１０の胴部１１に押圧力を加えることにより、ノズル孔３２ｂから薬液を滴下させて点眼することができる。
【００２９】
なお、この発明は、点眼薬容器以外の任意の液体を収納する容器１０にも好適に適用可能である。また、容器１０、カバー部材２０、開閉部材３０は、それぞれ任意のプラスチック材料により一体成形することができる。
【図面の簡単な説明】
【００３０】
【図１】一部破断全体分解斜視図
【図２】要部組立拡大縦断面説明図
【図３】カバー部材の構成説明図
【図４】使用状態斜視説明図
【図５】図２の要部断面説明図
【符号の説明】
【００３１】
Ｗ…開口部
１０…容器
１２…口部
２０…カバー部材
２２ｂ…注出孔
２３ａ…受け部
２４ａ…押し板
２４ｂ…当て板
２６ａ…ガイド部
２６ｂ…係合リブ
３０…開閉部材
３２…ノズル
３２ａ…ノズル部
３２ｄ…係合ピン
３３…操作部
３３ｂ…係合突部
特許出願人          伸晃化学株式会社
代理人  弁理士        松  田  忠  秋
【図１】
2010001054.tif 000003
【図２】
2010001054.tif 000004
【図３】
2010001054.tif 000005
【図４】
2010001054.tif 000006
【図５】
2010001054.tif 000007